【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
表示手段と入力手段とのうちの少なくとも一方を用いるユーザインタフェースを介して、ユーザにより操作される情報処理装置において、
放送波の形態、または、所定のネットワークで通信可能な形態で提供される情報を取得する取得手段と、
前記取得手段により取得された前記情報のうちの、前記情報処理装置が利用される地域により差異の認められる情報を地域性情報として抽出する抽出手段と、
前記抽出手段により抽出された前記地域性情報を記憶する記憶手段と、
前記記憶手段に記憶された前記地域性情報に基づいて、前記ユーザインタフェースを変更する変更手段と
を備える情報処理装置。
【請求項２】
前記抽出手段は、文化の情報、受信可能な放送方式の情報、各放送方式の普及状況の情報、配信される番組情報の運用状況、および、実施する可能性のある知的財産権の有無の情報のうちの少なくとも１つを前記地域性情報として抽出する
請求項１に記載の情報処理装置。
【請求項３】
前記変更手段は、前記地域性情報に基づいて、頻度または優先度の高い機能を実行するための操作手順を減らすことで、前記ユーザインタフェースを変更する
請求項１に記載の情報処理装置。
【請求項４】
前記変更手段は、前記地域性情報に基づいて、頻度または優先度の低い機能を実行するための操作手順を除外することで、前記ユーザインタフェースを変更する
請求項１に記載の情報処理装置。
【請求項５】
前記ユーザインタフェースでは、前記表示手段が少なくとも用いられ、
前記変更手段は、前記地域性情報に基づいて、前記情報処理装置が有する各機能の頻度または優先度を決定し、その頻度または優先度に応じて、前記各機能を示す各情報の前記表示手段への表示形態を異ならせることで、前記ユーザインタフェースを変更する
請求項１に記載の情報処理装置。
【請求項６】
表示手段と入力手段とのうちの少なくとも一方を用いるユーザインタフェースを介して、ユーザにより操作され、情報を記憶する記憶手段を備える情報処理装置の情報処理方法において、
放送波の形態、または、所定のネットワークで通信可能な形態で提供される情報を取得し、
取得された前記情報のうちの、前記情報処理装置が利用される地域により差異の認められる情報を地域性情報として抽出し、
抽出された前記地域性情報を前記記憶手段に記憶させ、
前記記憶手段に記憶された前記地域性情報に基づいて、前記ユーザインタフェースを変更する
制御を行うステップを含む情報処理方法。
【請求項７】
表示手段と入力手段とのうちの少なくとも一方を用いるユーザインタフェースを介して、ユーザにより操作され、情報を記憶する記憶手段を備える情報処理装置を制御するコンピュータに実行させるプログラムであって、
前記情報処理装置が、
放送波の形態、または、所定のネットワークで通信可能な形態で提供される情報を取得し、
取得された前記情報のうちの、前記情報処理装置が利用される地域により差異の認められる情報を地域性情報として抽出し、
抽出された前記地域性情報を前記記憶手段に記憶させ、
前記記憶手段に記憶された前記地域性情報に基づいて、前記ユーザインタフェースを変更する
ように制御を行うステップを含むプログラム。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】変更
【補正の内容】
【００３４】
前記ユーザインタフェースでは、前記表示手段が少なくとも用いられ、
前記変更手段は、前記地域性情報に基づいて、前記情報処理装置が有する各機能の頻度または優先度を決定し、その頻度または優先度に応じて、前記各機能を示す各情報の前記表示手段への表示形態を異ならせることで、前記ユーザインタフェースを変更する。
【手続補正１７】
【補正対象書類名】明細書
【補正対象項目名】００４１
【補正方法】変更
【補正の内容】
【００４１】
ここに、地域性情報とは、情報処理装置（図１の例ではテレビジョン受像機１）が利用される地域により差異の認められる情報をいう。地域とは、国、国レベルの領域の他、日本国でいう都道府県、市町村、それよりも細かい番地等により区分される範囲内の空間をいう。即ち、地域とは、人為的な取極めで区分された範囲内の空間をいう。ただし、地域性情報とは、地域により差異が認められる情報であるので、一地域とし採用するレベルは、差異が実際に認められるレベル、例えば、国や領域のレベル、日本国で言えばいわゆる東日本と西日本といったレベル等の程度とするとよい。
【手続補正１８】
【補正対象書類名】明細書
【補正対象項目名】００４６
【補正方法】変更
【補正の内容】
【００４６】
画面描画部１５は、UI制御部１４からの描画指示に基づいて、受信部１１からの受信映像を出力映像として、画面出力部１６から出力させる。
【手続補正１９】
【補正対象書類名】明細書
【補正対象項目名】００４７
【補正方法】変更
【補正の内容】
【００４７】
さらに、UI制御部１４は、データベース１３に記憶された地域性情報に基づいて、ユーザインタフェース(画面表示)の変更指示を画面描画部１５に出力する。すると、画面描画部１５は、GUI(Graphical User Interface)画像のうちの少なくとも一部を、その変更指示に基づいて変更して、出力映像として画面出力部１６から出力させる。これにより、地域に適するように変更されたGUI画像が、画面出力部１６から出力される。なお、地域性情報に基づくGUI画像の変更の具体例については、図４乃至図１４を参照して後述する。
【手続補正２０】
【補正対象書類名】明細書
【補正対象項目名】００６８
【補正方法】変更
【補正の内容】
【００６８】
この場合、ボタン４１に割り付けられたまたは割付可能な機能が、所定の地域で使用するのか否かについては、例えば、その所定の地域の放送局から放送波の形態で送信されて、アンテナ２に受信される情報（以下、放送波情報と称する）から判断可能である。即ち、データベース１３には、かかる放送波情報が地域性情報として記憶される。機能設定部１８は、その放送波情報に、ボタン４１にデフォルトして割り当てられている機能は不使用であることを特定できる情報が含まれている場合には、そのボタン４１に対して別の機能を割り当てる。後日、このボタン本来の機能（デフォルトして割り当てられている機能）の必要性が放送波情報から判断された場合、即ち、テレビジョン受像機１が移動してその移動後の地域の放送波情報がデータベース１３に記憶された場合や、テレビジョン受像機１の存在している地域自体は変わりないがその地域の放送波情報の内容が変更された場合等には、機能設定部１８は、そのボタン４１の機能を本来の機能に戻す。
【手続補正２１】
【補正対象書類名】明細書
【補正対象項目名】０１１５
【補正方法】変更
【補正の内容】
【０１１５】
例えば、図７は、図５の代わりとして、現在の日本国において頻度の高い地上波のアナログ放送のチャンネルリスト５１−１（１チャンネルの項目、３チャンネルの項目、４チャンネルの項目、・・・からなるリスト５１−１）を大きくする一方、現在の日本国において頻度の低い地上波のデジタル放送のチャンネルリスト５１−２（００１チャンネルの項目、００２チャンネルの項目、００４チャンネルの項目、・・・からなるリスト５１−２）が小さくなるように変更された、地上波のチャンネルリスト５１の例である。
【手続補正２２】
【補正対象書類名】明細書
【補正対象項目名】０１６６
【補正方法】変更
【補正の内容】
【０１６６】
図１４の例の選択UIでは、３段階の階層が採用されており、最初に、図中上方のGUI画像が表示される。このGUI画像では、大ジャンルに分類され、その後、中ジャンルに分類され、さらにその後小ジャンルに分類され、大ジャンルの項目が配置されたリスト１１１と、中ジャンルの項目が配置されたリスト１１２と、小ジャンルの項目が配置されたリスト１１３とが階層表示されている。ただし、本実施の形態では、選択可能な大ジャンルの項目のうちのユーザ４により選択された大ジャンルの項目、即ち、図１４の例ではカーソルが配置された「Sports」の項目１１１−１に属する中ジャンルの項目のリスト１１２のみが表示されるとする。同様に、表示中の中ジャンルの項目のうちのユーザ４により選択された中ジャンルの項目、即ち、図１４の例ではカーソルが配置された「Soccer」の項目１１２−１に属する小ジャンルの項目のリスト１１３のみが表示されるとする。
【手続補正２３】
【補正対象書類名】明細書
【補正対象項目名】０１６９
【補正方法】変更
【補正の内容】
【０１６９】
即ち、本発明が適用される情報処理装置とは、
表示機器と入力機器とのうちの少なくとも一方を用いるユーザインタフェースを介して、ユーザにより操作される情報処理装置であって、
放送波の形態、または、所定のネットワークで通信可能な形態で提供される情報を取得する取得機能と、
前記取得機能により取得された前記情報のうちの、前記情報処理装置が利用される地域により差異の認められる情報を地域性情報として抽出する抽出機能と、
前記抽出機能により抽出された前記地域性情報を記憶する記憶機能と、
前記記憶機能の実現により記憶された前記地域性情報に基づいて、前記ユーザインタフェースを変更する変更機能と
を有する情報処理装置であれば足りる。
【手続補正２４】
【補正対象書類名】明細書
【補正対象項目名】０１８６
【補正方法】変更
【補正の内容】
【０１８６】
入出力インタフェース２０５には、キーボード、マウスなどよりなる入力部２０６、ディスプレイなどよりなる出力部２０７、ハードディスクなどより構成される記憶部２０８、および、モデム、ターミナルアダプタなどより構成される通信部２０９、および、チューナ部２１０が接続されている。
【手続補正２５】
【補正対象書類名】明細書
【補正対象項目名】０１８７
【補正方法】変更
【補正の内容】
【０１８７】
通信部２０９は、インターネットを含むネットワーク３を介して他の装置（図示せず）との間で行う通信を制御する。また、チューナ部２１０は、アンテナ２を介して放送波を受信する。
【手続補正２６】
【補正対象書類名】明細書
【補正対象項目名】０１９０
【補正方法】変更
【補正の内容】
【０１９０】
このようなプログラムを含む記録媒体は、図１５に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア（パッケージメディア）２１２により構成されるだけでなく、装置本体に予め組み込まれた状態でユーザに提供される、プログラムが記録されているROM２０２や、記憶部２０８に含まれるハードディスクなどで構成される。
【手続補正２７】
【補正対象書類名】明細書
【補正対象項目名】０１９１
【補正方法】変更
【補正の内容】
【０１９１】
即ち、図１５の例では、表示機器を含む出力部２０７と、入力機器を含む入力部２０６とのうちの少なくとも一方を用いるユーザインタフェースを介して、ユーザによりコンピュータが操作される。この場合、取得機能は通信部２０９とチューナ部２１０により実現され、抽出機能や変更機能は記憶部２０８等に記憶されてCPU２０１により実行される組み込みソフトウエアにより実現され、記憶機能は記憶部２０８により実現される。
【手続補正２８】
【補正対象書類名】図面
【補正対象項目名】図１０
【補正方法】変更
【補正の内容】
【図１０】
2007201760.tif 000001
【手続補正２９】
【補正対象書類名】図面
【補正対象項目名】図１５
【補正方法】変更
【補正の内容】
【図１５】
2007201760.tif 000002